(57)【要約】【課題】小型で、また、縦位置撮影においてその操作性が優れたカメラ用外付け操作装置を提供する。【解決手段】カメラ１の外形に合うような形状である装置本体１１を、カメラ１に設けられた外付け装置取り付け端子４を配置するためのコネクタ端子収容部２に、コネクタカバー３と交換可能に収容し、この装置本体１１に、レリーズボタン１４と、ＡＥロックボタン１５と、短縮ボタン１６とを設け、コネクタ１２とカメラ１に設けられた外付け装置取り付け端子４とを介して、カメラ１の操作を可能にした。【選択図】図２
2006184720.tif 000002
【特許請求の範囲】
【請求項１】
カメラの通信用端子を配置するための凹部に収容される操作装置本体と、
前記操作装置本体に設けられ、前記カメラの前記通信用端子に着脱可能に接続される電気的接続部材と、
前記操作装置本体に設けられ、前記電気的接続部材及び前記通信用端子を介して、前記カメラを操作する操作部と、
を備えたカメラ用外付け操作装置。
【請求項２】
請求項１に記載のカメラ用外付け操作装置において、
前記操作装置本体の形状は、前記凹部に収容された状態において、前記カメラの外形に合うような形状であること、
を特徴とするカメラ用外付け操作装置。
【請求項３】
請求項１又は請求項２に記載のカメラ用外付け操作装置において、
前記操作装置本体は、前記カメラに設けられ、前記凹部をカバーするカバー部材と交換可能であること、
を特徴とするカメラ用外付け操作装置。
【請求項４】
請求項１から請求項３のいずれか１項に記載のカメラ用外付け操作装置において、
前記操作装置本体は、前記電気的接続部材の挿入方向に対して所定の角度、折り曲げ可能であること、
を特徴とするカメラ用外付け操作装置。
【請求項５】
請求項１から請求項４のいずれか１項に記載のカメラ用外付け操作装置において、
前記通信用端子が側面に設けられたカメラに装着されること、
前記操作部は、前記カメラを縦位置にした状態で操作される縦位置用レリーズスイッチであること、
を特徴とするカメラ用外付け操作装置。
【請求項６】
請求項１から請求項４のいずれか１項に記載のカメラ用外付け操作装置において、
前記操作部の操作により、撮影観察時に撮影条件を設定又は変更が可能であること、
を特徴とするカメラ用外付け操作装置。
【請求項７】
請求項１から請求項４のいずれか１項に記載のカメラ用外付け操作装置において、
単一又は複数のカメラ本体操作部を、所定の順序で複数回操作することにより選択可能な機能を備えたカメラに装着されること、
前記操作部のみを操作することによって、前記機能を選択可能であること、
を特徴とするカメラ用外付け操作装置。
【発明の詳細な説明】
【技術分野】
【０００１】
本発明は、カメラを操作するためのカメラ用外付け操作装置に関するものである。
【背景技術】
【０００２】
従来から、カメラを縦位置で撮影するときに、レリーズ操作の操作性を向上させるため、カメラ本体に通常撮影用のレリーズスイッチの他に、縦位置専用のレリーズスイッチを設けたものがあった。また、縦位置レリーズが設けられたオプショングリップ、外付けバッテリーパック等を別途用意して、カメラ本体に取り付けるものがあった（例えば特許文献１）。
しかし、カメラ本体に、縦位置専用のレリーズスイッチを設ける場合、カメラの大型化、コストアップにつながるという問題があった。また、縦位置での撮影を頻繁に行わないユーザにとっては、縦位置用のレリーズスイッチが設けられていてもメリットが少ない。
一方、外付けバッテリーパック等を別途用意する場合、外付けバッテリーパック等は、大型であるため、カメラ本体に取り付けたときには、カメラが扱いにくく、また、取り外したときには、かさばるため、持ち運びに不便であるという問題があった。さらに、オプショングリップ等は、高価であるという問題があった。
【特許文献１】特開平６−７５２８２号公報
【発明の開示】
【発明が解決しようとする課題】
【０００３】
本発明の課題は、小型で、また、縦位置撮影においてその操作性が優れたカメラ用外付け操作装置を提供することである。
【課題を解決するための手段】
【０００４】
本発明は、以下のような解決手段により、前記課題を解決する。なお、理解を容易にするために、本発明の実施例に対応する符号を付して説明するが、これに限定されるものではない。
請求項１の発明は、カメラ（１）の通信用端子（４，５，６，８，９）を配置するための凹部（２）に収容される操作装置本体（１１，２１，３１）と、前記操作装置本体（１１，２１，３１）に設けられ、前記カメラ（１）の前記通信用端子（４，８，９）に着脱可能に接続される電気的接続部材（１２，２２，３２）と、前記操作装置本体（１１，２１，３１）に設けられ、前記電気的接続部材（１２，２２，３２）及び前記通信用端子（４，８，９）を介して、前記カメラ（１）を操作する操作部（１４，１５，１６，２４，３６）と、を備えたカメラ用外付け操作装置（１０，２０，３０）である。
【０００５】
請求項２の発明は、請求項１に記載のカメラ用外付け操作装置において、前記操作装置本体（１１）の形状は、前記凹部（２）に収容された状態において、前記カメラ（１）の外形に合うような形状であること、を特徴とするカメラ用外付け操作装置（１０）である。
請求項３の発明は、請求項１又は請求項２に記載のカメラ用外付け操作装置において、前記操作装置本体（１１）は、前記カメラ（１）に設けられ、前記凹部（２）をカバーするカバー部材（３）と交換可能であること、を特徴とするカメラ用外付け操作装置（１０）である。
請求項４発明は、請求項１から請求項３のいずれか１項に記載のカメラ用外付け操作装置において、前記操作装置本体（１１）は、前記電気的接続部材（１２）の挿入方向に対して所定の角度、折り曲げ可能であること、を特徴とするカメラ用外付け操作装置（１０）である。
請求項５の発明は、請求項１から請求項４のいずれか１項に記載のカメラ用外付け操作装置において、前記通信用端子（４，８）が側面に設けられたカメラ（１）に装着されること、前記操作部（１４，２４）は、前記カメラ（１）を縦位置にした状態で操作される縦位置用レリーズスイッチ（１４，２４）であること、を特徴とするカメラ用外付け操作装置（１０，２０）である。
請求項６の発明は、請求項１から請求項４のいずれか１項に記載のカメラ用外付け操作装置において、前記操作部（１５）の操作により、撮影観察時に撮影条件を設定又は変更が可能であること、を特徴とするカメラ用外付け操作装置（１０）である。
請求項７の発明は、請求項１から請求項４のいずれか１項に記載のカメラ用外付け操作装置において、単一又は複数のカメラ本体操作部を、所定の順序で複数回操作することにより選択可能な機能を備えたカメラ（１）に装着されること、前記操作部（１６，３６）のみを操作することによって、前記機能を選択可能であること、を特徴とするカメラ用外付け操作装置（１０，３０）である。
【発明の効果】
【０００６】
本発明によれば、以下の効果を奏することができる。
（１）本発明のカメラ用外付け操作装置は、カメラの通信用端子を配置するための凹部に操作装置本体が収容される。操作装置本体には、カメラの通信用端子に着脱可能に接続される電気的接続部材と、電気的接続部材と通信用端子とを介して、カメラを操作する操作部とが設けられている。これにより、カメラ用外付け操作装置は、カメラに容易に接続することができる。また、構造を複雑にすることがないので、従来の操作部が設けられたバッテリーパック等よりも、小型にすることができ、さらに、コストをおさえることができる。
【０００７】
（２）本発明のカメラ用外付け操作装置は、操作装置本体の形状が、凹部に収容された状態において、カメラの外形に合うような形状である。これにより、カメラ用外付け操作装置を、カメラに装着した状態において、カメラがかさばらないので、カメラの取り扱いが容易である。
（３）本発明のカメラ用外付け操作装置は、操作装置本体が、カメラに設けられた凹部をカバーするカバー部材と交換可能である。これにより、カメラ用外付け操作装置は、例えば、カメラに設けられたグリップ（カバー部材）と交換して装着することにより、カメラ本体のホールディング性を損なわずに使用することができる。
（４）本発明のカメラ用外付け操作装置は、操作装置本体が、電気的接続部材の挿入方向に対して所定の角度、折り曲げ可能である。これにより、カメラ用外付け操作装置は、カメラに容易に装着することができる。また、カメラ用外付け操作装置は、カメラに取り付けて操作するときに、その操作がしやすい角度に、操作装置本体を折り曲げることができる。さらに、カメラ用外付け操作装置は、折り曲げることにより、小型にして持ち運ぶことができる。
（５）本発明のカメラ用外付け操作装置は、通信用端子が側面に設けられたカメラに装着され、操作部がカメラを縦位置にした状態で操作される縦位置用レリーズスイッチである。これにより、カメラ用外付け操作装置は、縦位置用レリーズスイッチとして、カメラの通信用端子を配置するための凹部に着脱可能に、容易に接続できる。また、カメラに別途縦位置用のレリーズスイッチを設ける必要がなく、さらに、レリーズを固定するための取り付け構造を設ける必要がないので、カメラの小型化とコストダウンが可能である。
（６）本発明のカメラ用外付け操作装置は、操作部の操作により、撮影観察時に撮影条件を設定又は変更が可能である。これにより、カメラ用外付け操作装置は、縦位置撮影において、カメラの操作を煩雑にすることがなく、カメラの操作性を向上することができる。
（７）本発明のカメラ用外付け操作装置は、装着されるカメラが、単一又は複数のカメラ本体操作部を、所定の順序で複数回操作することにより選択可能な機能を備えている。そして、カメラ用外付け操作装置の操作部のみを操作することによって、その機能を選択することができる。これにより、カメラ用外付け操作装置は、操作部を短縮ボタンとして使用できるので、撮影時の煩雑さを防止することができる。
【発明を実施するための最良の形態】
【０００８】
本発明は、小型で、また、縦位置撮影においてその操作性が優れたカメラ用外付け操作装置を提供するという目的で、カメラの外形に合うような形状である装置本体を、カメラに設けられた凹部であるコネクタ端子収容部に収容し、この装置本体に、レリーズボタンと、ＡＥロックボタンと、短縮ボタンとを設け、カメラとカメラ用外付け操作装置との電気的接続部を介して、カメラの操作を可能にすることによって実現した。
【実施例１】
【０００９】
以下、図面等を参照して、本発明の実施例をあげて、さらに詳しく説明する。
図１は、本発明を適用したカメラ用外付け操作装置（以下、「外付け装置」という）の実施例１が装着されるカメラ１を示す図であり、図１（ａ）は、正面図、図１（ｂ）は、側面図である。
実施例１の外付け装置１０が装着されるカメラ１は、デジタル一眼レフカメラであり、図１（ａ）の部分断面で示すように、コネクタ端子収容部２と、コネクタカバー３（カバー部材）と、外付け装置取り付け端子４（通信用端子）と、ＡＣ端子５と、ビデオ出力端子６と、シャッタボタン７とを備えている。
コネクタ端子収容部２は、図１（ａ）に示すように、カメラ１の側面を、上下にわたって窪ませて設けられた凹部である。コネクタ端子収容部２には、後述する外付け装置取り付け端子４と、ＡＣ端子５と、ビデオ出力端子６とが、上からこの順に配置されている。
【００１０】
コネクタカバー３は、コネクタ端子収容部２に配置された各コネクタ端子を使用しないときに、コネクタ端子収容部２に、カメラ１の外形に合うように装着されるカバー部材である。コネクタカバー３は、ゴム等の弾性体から形成されており、凹部であるコネクタ端子収容部２に圧入されることにより、カメラ１に着脱可能に取り付けられる。
外付け装置取り付け端子４は、カメラ１と後述する外付け装置１０とを、電気的に接続するために、カメラ１の側面に設けられた受け側の１０ピンの角型コネクタである。実施例１で用いるカメラ１は、この外付け装置取り付け端子４がカメラ１の電気回路（図示せず）等に接続されており、後述する外付け装置１０の操作に応じて、カメラ１のレリーズ等が操作される。
【００１１】
ＡＣ端子５は、室内撮影などでＡＣ電源によりカメラ１を動作させるとき等に、ＡＣアダプタ（図示せず）と接続するための受け側の角型コネクタである。ビデオ出力端子６は、カメラ１の撮影画像を外部モニタに映し出すとき等に、ビデオ出力用ケーブルと接続する受け側の丸型コネクタである。
シャッタボタン７は、カメラ１に設けられたレリーズボタンであり、カメラ１の上面の図１に示す左側の範囲に設けられている。
【００１２】
図２は、実施例１の外付け装置１０を、カメラ１に装着した状態を示す図である。図２（ａ）は、正面図、図２（ｂ）は、側面図、図２（ｃ）は、後述する装置本体１１を回転させた状態を示す図である。
図２（ａ）に示すように、実施例１の外付け装置１０は、装置本体１１（操作装置本体）と、コネクタ１２（電気的接続部材）と、回転軸１３と、レリーズボタン１４と、ＡＥロックボタン１５と、短縮ボタン１６とを備えている。
装置本体１１は、外付け装置１０の本体部分であり、カメラ１に設けられたコネクタ端子収容部２に、コネクタカバー３と交換可能に収容される、図２（ａ）に示すように上下方向に長い直方体の部材である。図２（ａ），図２（ｂ）に示すように、装置本体１１は、コネクタ端子収容部２に収容された状態において、カメラ１の外形に合うような形状である。装置本体１１は、その外側の側面１１ａに、レリーズボタン１４と、ＡＥロックボタン１５と、短縮ボタン１６とが、下側からこの順に配置されている。装置本体１１は、その内側に前述した各ボタンの操作に応じて、信号を処理する電気回路と、これが配設された電気基板（図示せず）等を収容している。
【００１３】
コネクタ１２は、カメラ１の外付け装置取り付け端子４に着脱可能に装着され、外付け装置１０とカメラ１とを電気的に接続する１０ピンの差し込み側の角型コネクタである。図２（ａ）に示すように、コネクタ１２は、装置本体１１の上側の部分に、後述する回転軸１３を用いて、装置本体１１に対して回転可能に設けられている。
回転軸１３は、装置本体１１とコネクタ１２とを、コネクタ１２の挿入方向に対して所定の角度、折り曲げ可能に連結する軸である。図２（ａ）に示すように、回転軸１３は、その軸方向がカメラ１の前後方向になるように、設けられている。図２（ｃ）は、装置本体１１をコネクタ１２の挿入方向に対して所定の角度（ここでは、約９０度）折り曲げた状態を示す図である。外付け装置１０は、装置本体１１をカメラ１に対して、操作しやすい位置に回転移動できるので、その操作性を向上することができる。また、外付け装置１０をカメラ１へ装着するときは、例えば装置本体１１とコネクタ１２とを真直ぐにし、そして、装着した後に折り曲げることにより、カメラ１に容易に装着することができる。さらに、外付け装置１０は、折り曲げることにより、小型になるので持ち運ぶときに便利である。
【００１４】
レリーズボタン１４は、カメラ１のレリーズを操作するために、装置本体１１の側面１１ａの下側の範囲に設けられた押し釦である。レリーズボタン１４を押し下げることにより、カメラ１のレリーズを操作するための信号が、装置本体１１に収容された電気回路から、外付け装置取り付け端子４とコネクタ１２とを介して、カメラ１の電気回路に入力される。レリーズボタン１４が配置されたこの範囲は、ユーザがカメラ１を縦位置にして撮影する縦位置撮影を行う際に、右手の人差し指で操作しやすい位置であり、縦位置撮影におけるカメラ１の操作性を向上させることができる。また、レリーズボタン１４は、例えば、半押しにすることにより、ピントをロックさせるフォーカスロック機能を設けても良い。
【００１５】
ＡＥロックボタン１５は、撮影の際、露出をカメラ１の電気回路に記憶させるために、装置本体１１の側面１１ａの中央の範囲であって、レリーズボタン１４の上側に、設けられた押し釦である。ＡＥロックボタン１５は、特殊な光線状態、例えば、主要被写体が画面上で極端に小さい場合の撮影や、主要被写体と背景との間に極端な明暗差がある場合など、意図通りの露出に設定できないとき等に、主要被写体に露出をロックさせるために使用する。ＡＥロックボタン１５を押し下げることにより、レリーズボタン１４と同様に、カメラ１の電気回路に信号が入力される。ＡＥロックボタン１５は、レリーズ操作に付随する操作釦であるが、レリーズボタン１４の上側の範囲に配置されているため、ユーザは、縦位置撮影において、カメラ１のファインダを用いて被写体を観察しながら（撮影観察時）、撮影条件に応じて、露出の設定又は変更が可能である。これにより、実施例１の外付け装置１０は、縦位置撮影において、カメラ１の操作を煩雑にすることがなく、操作性を向上することができる。
【００１６】
短縮ボタン１６は、カメラ１が備えた特殊な機能を、ユーザが短縮で登録及び選択するために、装置本体１１の側面１１ａの上側の範囲に設けられた押し釦である。カメラ１が備えた特殊な機能とは、ホワイトバランス（光源によって白い被写体が、例えば青みがかかる等の現象を照明光の色に合わせて調整する機能）、スローシンクロ撮影（イルミネーション等の夜景を背景に人物を撮影したときに、背景が暗くならないようにシャッタスピードを調整する機能）等の機能である。これらの機能は、カメラ１に設けられた選択ボタンや決定ボタン（単一又は複数のカメラ本体操作部）等を、所定の順序で複数回操作することにより選択可能な機能である。実施例１の外付け装置１０は、撮影準備時において、短縮ボタン１６に、ユーザが使用頻度に応じて、これらの機能を短縮で登録し、そして、撮影時において、短縮ボタン１６のみの操作によりこれらの機能を選択することができる。このため、カメラ１は、外付け装置１０を装着することにより、撮影時の煩わしさを解消することができる。短縮ボタン１６は、１つの機能（例えば、ホワイトバランス）のみを登録できるようにしてもよいし、また、複数の機能（例えば、１回押し下げるとホワイトバランス、２回押し下げるとスローシンクロ撮影）を登録できるようにしてもよい。
【００１７】
以上説明したように、実施例１の外付け装置１０は、その装置本体１１（操作装置本体）が、カメラ１の側面に設けられた外付け装置取り付け端子４（通信用端子）等を配置するためのコネクタ端子収容部２（凹部）に、コネクタカバー３（カバー部材）と交換可能に収容される。装置本体１１の形状は、コネクタ端子収容部２に収容された状態において、カメラ１の外形に合うような形状である。これにより、外付け操作装置１０は、カメラ１に装着した状態において、かさばることがないので、取り扱いが容易であり、その取り付けは、外付け装置取り付け端子４とコネクタ１２（電気的接続部材）とを着脱可能に接続すればよいので容易である。また、実施例１の外付け装置１０は、その構造が複雑ではないので、従来の操作部を備えたバッテリーパック等よりも、小型にすることができ、コストをおさえることができる。
【００１８】
さらに、実施例１の外付け装置１０は、装置本体１１に、レリーズボタン１４と、ＡＥロックボタン１５と、短縮ボタン１６とからなる操作部が設けられ、外付け装置取り付け端子４とコネクタ１２とを介してカメラ１の操作が可能である。また、カメラ１の本体に縦位置レリーズボタンを設けると、カメラの大型化、コストアップにつながるが、実施例１の外付け装置１０は、縦位置撮影において操作しやすい範囲に、レリーズボタン１４を備えている。このため、カメラ１は、本体に縦位置レリーズボタンを設ける必要がなく、その小型化、コストダウンが可能であると同時に、縦位置レリーズが必要なユーザのみ、外付け装置１０を購入すればよいので、ユーザフレンドリなカメラシステムとすることができる。また、外付け装置１０は、縦位置撮影における撮影観察時に、ＡＥロックボタン１５の操作により、露出の設定又は変更が容易である。これにより、外付け装置１０は、縦位置撮影において、カメラ１の操作を煩雑にすることがなく、カメラ１の操作性を向上することができる。
【００１９】
さらにまた、実施例１の外付け装置１０が取り付けられるカメラ１は、その選択ボタンや決定ボタン（単一又は複数のカメラ本体操作部）を、所定の順序で複数回操作することにより選択可能なホワイトバランス、スローシンクロ撮影等の機能を備えている。そして、外付け装置１０に設けられた短縮ボタン１６のみを操作することによって、これらの機能を選択することができるので、操撮影時におけるカメラ１の操作を容易にすることができる。
【実施例２】
【００２０】
次に、本発明を適用した外付け装置の実施例２について説明する。
図３は、実施例２の外付け装置２０，外付け装置３０とを、カメラ１に装着した状態を示す図であり、図３（ａ）は、正面図、図３（ｂ）は、側面図である。
実施例２の外付け装置は、実施例１の外付け装置１０を、レリーズボタンを備えた外付け装置２０と、短縮ボタンを備えた外付け装置３０とに分離したものである。
なお、前述した実施例１と同様の機能を果たす部分には、同一の符号を付して、重複する説明を適宜省略する。
カメラ１は、図３（ａ）の部分断面で示すように、外付け装置取り付け端子８，９（通信用端子）を備えている。
【００２１】
外付け装置取り付け端子８は、カメラ１と後述する外付け装置２０とを電気的に接続するために、カメラ１の側面に設けられた受け側の１０ピンの丸型コネクタである。外付け装置取り付け端子８は、カメラ１の電気回路（図示せず）等に接続されており、後述する外付け装置２０の操作に応じて、カメラ１のレリーズが操作される。外付け装置取り付け端子８は、コネクタ端子収容部２の下側の範囲に設けられている。
外付け装置取り付け端子９は、カメラ１と後述する外付け装置３０とを電気的に接続するために設けられた受け側の１０ピンの角型コネクタである。外付け装置取り付け端子９は、外付け装置取り付け端子８と同様に、カメラ１の電気回路等に接続されており、後述する外付け装置３０の操作に応じて、カメラ１が備えた特殊な機能を、短縮で登録及び選択することができる。外付け装置取り付け端子９は、コネクタ端子収容部２の上側の範囲に設けられている。
【００２２】
図３（ａ）に示すように、実施例２の外付け装置２０は、装置本体２１（操作装置本体）と、コネクタ２２（電気的接続部材）と、レリーズボタン２４（操作部）とを備えている。
装置本体２１は、外付け装置２０の本体部分であり、図３（ａ），図３（ｂ）に示すように、カメラ１に設けられたコネクタ端子収容部２に収容される円筒状の部材である。
コネクタ２２は、カメラ１の外付け装置取り付け端子８に着脱可能に装着され、外付け装置２０とカメラ１とを電気的に接続する１０ピンの差し込み側の丸型コネクタである。図３（ａ）に示すように、コネクタ２２は、装置本体２１の円筒の底面に植設されている。実施例２の外付け装置２０のカメラ１への取り付けは、コネクタ２２と外付け装置取り付け端子８とを接続すればいので、容易に行うことができる。
レリーズボタン２４は、カメラ１のレリーズを操作するために、装置本体２１の表面２１ａに設けられた押し釦である。レリーズボタン２４を押し下げることにより、実施例１のレリーズボタン１４と同様に、カメラ１のレリーズを操作する信号が、カメラ１の電気回路に入力される。レリーズボタン２４が配置されたこの範囲は、縦位置撮影を行う際に、右手の人差し指で操作しやすい位置である。
【００２３】
図３（ａ）に示すように、実施例２の外付け装置３０は、装置本体３１（操作装置本体）と、コネクタ３２（電気的接続部材）と、短縮ボタン３６（操作部）とを備えている。
装置本体３１は、外付け装置３０の本体部分であり、図３（ａ），図３（ｂ）に示すように、カメラ１に設けられたコネクタ端子収容部２に収容される直方体の部材である。
コネクタ３２は、カメラ１の外付け装置取り付け端子９に着脱可能に装着され、外付け装置３０とカメラ１とを電気的に接続する１０ピンの差し込み側の角型コネクタである。外付け装置３０は、コネクタ３２とカメラ１の外付け装置取り付け端子９とによって、容易にカメラ１に取り付けが可能である。
【００２４】
短縮ボタン３６は、実施例１の短縮ボタン１６と同様に、カメラ１が備えた特殊な機能を、ユーザが短縮で登録及び選択するために、装置本体３１の表面３１ａに設けられた押し釦である。短縮ボタン３６は、カメラ１に設けられた選択ボタン、決定ボタン（単一又は複数のカメラ本体操作部）等を、所定の順序で複数回操作することにより選択可能な機能を短縮で登録することができ、そして、撮影時に、短縮ボタン３６のみを操作することにより、これらの機能を選択することができる。
【００２５】
以上説明したように、実施例２の外付け装置２０は、レリーズボタン２４を備え、コネクタ２２とカメラ１の外付け装置取り付け端子８とによって、縦位置撮影を行う際に、右手の人差し指で操作しやすい位置に、カメラ１に装着される。また、外付け装置３０は、カメラ１が備えた特殊な機能を短縮で登録及び選択することができる短縮ボタン３６を備え、コネクタ３２とカメラ１の外付け装置取り付け端子９とによって、カメラ１に装着される。これにより、実施例２の外付け装置２０，３０によれば、縦位置撮影用の外付けレリーズボタン及び短縮ボタンを、カメラ１に容易に装着することができる。
【００２６】
また、実施例２の外付け装置２０，３０は、カメラ１を操作するボタンが、それぞれ、レリーズボタン２４，短縮ボタン３６のみであるため、小型にすることができ、コスト面でも有利である。そして、外付け装置２０，３０を使用しないときは、カメラ１から取り外し、容易に持ち運ぶことができる。さらに、ユーザは、撮影に応じて必要な外付け装置を選択し、カメラ１に装着することができる。
【００２７】
（変形例）
以上説明した実施例に限定されることなく、種々の変形や変更が可能であって、それらも本発明の均等の範囲内である。
（１）実施例１において、ＡＥロックボタン１５が、レリーズ操作に付随する操作釦として、装置本体１１の側面１１ａに設けられた例を示したが、これに限定されない。例えば、撮影観察時にシャッタスピード等を選択、変更することができるダイヤル、いわゆるコマンドダイヤル等を設けても良い。
【００２８】
（２）実施例２において、カメラ１に装着される外付け装置２０，３０は、それぞれ、外付けレリーズボタン、外付け短縮ボタンを備えた例を示したが、これに限定されない。例えば、被写界深度を確認するプレビューボタン、露出補正ボタン等を備えた、他の外付け装置でもよい。また、異なった機能を備えた外付け装置を、オプションで複数、用意することにより、ユーザは、使用頻度等に応じて必要な外付け装置を購入することができる。また、これらの外付け装置は、従来の操作部が設けられたバッテリーパック等よりも、小型にすることができ、また、コストをおさえることができる。
【００２９】
（３）実施例２において、外付け装置２０がレリーズボタン２４と丸型のコネクタ２２とを備え、カメラ１の外付け装置取り付け端子８に装着され、また、外付け装置３０が短縮ボタン３６と角型のコネクタ３２とを備え、カメラ１の外付け装置取り付け端子９に装着された例を示したが、これに限定されない。ユーザが使用頻度等に応じて、操作しやすい位置に操作釦を配置できるように、各操作釦と各コネクタとの組み合わせを、他の組み合わせにしてもよい。例えば、レリーズボタンを備えた外付け装置を、カメラ１の外付け装置取り付け端子９に装着することにより、左ききのユーザの縦位置撮影時におけるレリーズの操作性を向上させることができる。
また、実施例１の操作装置１０における各操作釦ついても、上述した配置に限定されない。例えば、ユーザが使用頻度等に応じて、各操作釦の機能を設定できるようにしてもよい。
【００３０】
（４）各実施例において、外付け装置を、デジタル一眼レフカメラに装着した例を示したが、これに限定されない。例えば、フィルム用一眼レフカメラに装着してもよい。
【００３１】
（５）各実施例において、各外付け装置とカメラ１との接続は、１０ピンのコネクタである例を示したが、これに限定されず、他の形状のコネクタでもよい。例えば、コネクタは、ＵＳＢ（ユニバーサルシリアルバス）端子を用いてもよい。これにより、他のカメラにも流用できるようにして、共通化によるコストの削減を図ることができ、また、汎用性を持たせることができる。
【図面の簡単な説明】
【００３２】
【図１】本発明を適用した実施例１の外付け装置１０が装着されるカメラ１を示す図である。
【図２】本発明を適用した実施例１の外付け装置１０を示す図である
【図３】本発明を適用した実施例２の外付け装置２０，３０を示す図である
【符号の説明】
【００３３】
１    カメラ
２    コネクタ端子収容部
３    コネクタカバー
４，８，９    外付け装置取り付け端子
５    ＡＣ端子
６    ビデオ出力端子
７    シャッタボタン
１０，２０，３０    外付け装置
１１，２１，３１    装置本体
１２，２２，３２    コネクタ
１３    回転軸
１４，２４    レリーズボタン
１５    ＡＥロックボタン
１６，３６    短縮ボタン
【図１】
2006184720.tif 000003
【図２】
2006184720.tif 000004
【図３】
2006184720.tif 000005